(57)【要約】【課題】画質の劣化の抑制と生産性の向上を両立させることができる画像処理装置を提供する。【解決手段】特性の異なる複数のセンサ１０１，１０２を有するスキャナ２と、画像読取部で取得した特性の異なるセンサに応じて画像データに処理を施す画像処理部６６と、モードの指定を受付ける操作部及び原稿種別を判定する判定部の少なくとも１と、操作部の指定又は判定部の判定に基づいて、画像処理部６６の処理を選択するＣＰＵ６１を具備する。【選択図】      図１５
2006287971.tif 000002
【特許請求の範囲】
【請求項１】
モノクロセンサとカラーセンサを有し、前記モノクロセンサ及び前記カラーセンサで画像データを取得する画像読取部と、
前記カラーセンサで取得した画像データを用いて原稿種別を判定する判定部と、
前記モノクロセンサで取得した画像データに第１の画像処理を施す第１の画像処理部と前記カラーセンサで取得した画像データに第２の画像処理を施す第２の画像処理部とを有し、前記判定部の判定に応じて前記第１の画像処理及び前記第２の画像処理に利用するパラメータを変えて前記第１の画像処理部及び前記第２の画像処理部で画像処理を施すとともに前記判定部の判定に応じて前記第１の画像処理部で処理した画像データと前記第２の画像処理部で処理した画像データを選択的に出力する画像処理部とを備えることを特徴とする画像処理装置。
【発明の詳細な説明】
【技術分野】
【０００１】
本発明は、スキャナ等から得られる原稿の画像データに画像処理を施して印刷を行う画像処理装置に関する。
【背景技術】
【０００２】
従来、近年、カラーデジタル複写機などの画像形成装置の中には自動カラー選択機能（ＡＣＳ）を備えたものがある。例えば、カラーＣＣＤセンサで読取った原稿の白黒／カラーの判定をする色判定部、この判定に基づき画像形成の白黒／カラーのモードを設定する設定部を有する画像形成装置が知られている（例えば、特許文献１参照）。上記をはじめとする従来の画像形成装置における画像処理の技術においては、ＡＣＳにより白黒／カラーの判別は行うことができる。
【特許文献１】特開２００２−１６５１０１号公報
【発明の開示】
【発明が解決しようとする課題】
【０００３】
しかし、特許文献１に記載されたものでは、黒の文字原稿と、同じく白黒の写真原稿との間で異なる処理を施すことはできなかった。例えば、写真原稿においては階調処理が画質にとって重要であるが文字原稿においてはそうではなく、文字原稿においては階調処理を重視しない速度優先の処理を施せば生産性を向上することができるが、このような処理を行うことができなかった。
【０００４】
また、上述のような画像処理を施した画像データの印字動作に関して４回転方式でフルカラー印字をさせた機構のエンジンでは、カラー動作だけでモノクロ印字をすると無駄な動作をし、印字速度も遅くなってしまう。
【０００５】
本発明は上記事情に鑑みてなされたものであって、その目的は、画質の劣化の抑制と生産性の向上を両立させることができる画像処理装置を提供することにある。
【課題を解決するための手段】
【０００６】
本発明は、モノクロセンサとカラーセンサを有し、モノクロセンサ及びカラーセンサで画像データを取得する画像読取部と、カラーセンサで取得した画像データを用いて原稿種別を判定する判定部と、モノクロセンサで取得した画像データに第１の画像処理を施す第１の画像処理部とカラーセンサで取得した画像データに第２の画像処理を施す第２の画像処理部とを有し、判定部の判定に応じて第１の画像処理及び第２の画像処理に利用するパラメータを変えて第１の画像処理部及び第２の画像処理部で画像処理を施すとともに判定部の判定に応じて第１の画像処理部で処理した画像データと第２の画像処理部で処理した画像データを選択的に出力する画像処理部とを備える画像処理装置である。
【発明の効果】
【０００７】
本発明によると、画質の劣化の抑制と生産性の向上を両立させることができる画像処理装置を提供できる。
【発明を実施するための最良の形態】
【０００８】
以下、本発明の各実施の形態について図面を参照して説明する。なお、本発明をカラーデジタル複写機１に適用した場合について述べる。  
（第１の実施の形態）
カラーデジタル複写機１の概略的な内部構造を、図を参照して説明する。カラーデジタル複写機１は、スキャナ部２、プリンタ部３及び給紙部４を筐体に収容している。スキャナ部２は図示しない原稿台にセットした原稿を照射し、原稿からの反射光を複数の光学部材を介して受光素子へ導き、光電変換して画像データを出力する。プリンタ部３は、スキャナ部２にて原稿から読取った画像データ、或いは、図示しない外部装置から入力される画像データに基づく画像を用紙Ｐ上に出力する。給紙部４はプリンタ部３に用紙Ｐを供給する。
【０００９】
また、カラーデジタル複写機１の筐体の図中右側には、両面ユニット５及び手差しユニット６が脱着自在に取り付けられている。両面ユニット５は、プリンタ部３で片面に画像形成された用紙Ｐを反転させて、再びプリンタ部３へ供給する。手差しユニット６は、手差しにより用紙Ｐをプリンタ部３へ供給する。
【００１０】
プリンタ部３は、カラーデジタル複写機１のフロント−リア方向（紙面方向）に延びた管軸を有する感光体ドラム１１を有する。感光体ドラム１１の周囲には、帯電装置１２、露光装置１３、ブラック現像器１４、リボルバー１５、中間転写ベルト１６、及びドラムクリーナ１８が、感光体ドラム１１の図中矢印で示す回転方向に沿って設けられている。
【００１１】
帯電装置１２は、感光体ドラム１１の外周面を所定の電位に帯電させる。露光装置１３は、所定の電位に帯電されたドラム表面を露光して画像データに基づく静電潜像を形成する。
【００１２】
ブラック現像器１４は、感光体ドラム１１と露光装置１３との間に対向配置されている。ブラック現像器１４は、露光装置１３によってドラム表面に形成されたブラック用の静電潜像にブラック現像剤を供給して現像し、ドラム表面にブラック現像剤像を形成する。ブラック現像器１４は、現像剤を攪拌して供給するミキサー、及びドラム表面に所定の現像ギャップを介して対向配置された現像ローラを有する。ブラック現像器１４は現像ローラをドラム表面に対して離接させるように移動可能に設けられている。また、ブラック現像器はトナーカートリッジから現像剤が供給される。
【００１３】
リボルバー１５は、感光体ドラム１１の図中左側に隣接して回転可能に設けられている。リボルバー１５は、基本的にブラック現像器１４と同じ構造のイエロー現像器１５Ｙ、マゼンダ現像器１５Ｍ、シアン現像器１５Ｃを有する。各現像器は、リボルバー１５の回転方向に並んで、リボルバー１５内に脱着自在に収容されている。また、各現像器は、それぞれの色の現像剤を収容したトナーカートリッジ１５ｙ，１５ｍ，１５ｃを有する。そして、各色の現像器は、リボルバー１５を時計回りに回転させることにより、感光体ドラム１１の側方から選択的にドラム表面に対向配置される。
【００１４】
中間転写ベルト１６は、感光体ドラム１１に対して重力方向上方から転接する位置に配置されている。中間転写ベルト１６は、それぞれフロント−リア方向に延びた回転軸を有する駆動ローラ１６ａ、転写前ローラ１６ｂ、転写対向ローラ１６ｃ及びテンションローラ１６ｄに巻回されて張設されている。駆動ローラ１６ａは、リボルバー１５の上方で筐体に対して固定的に設けられ、転写前ローラ１６ｂは感光体ドラム１１の上方で筐体に対して固定的に設けられ、転写対向ローラ１６ｃは後述する縦搬送路に転接する位置に固定的に設けられている。テンションローラ１６ｄは、中間転写ベルトに所定の張力を与えるようにベルトの内側から外側に向けて付勢されている。  
この他に、中間転写ベルト１６の内側には、中間転写ベルト１６をドラム表面に転接させると共にドラム表面に形成された現像剤像を中間転写ベルト１６に転写させるための１次転写ローラ１７が設けられている。１次転写ローラ１７は、中間転写ベルト１６を所定圧力でドラム表面に押圧するように、感光体ドラム１１方向に付勢されている。
【００１５】
中間転写ベルト１６の周囲には、ベルトクリーナ２５及び２次転写ローラ１９がそれぞれベルト表面に対して離接可能に設けられている。ベルトクリーナ２５は、リボルバー１５の上方で中間転写ベルト１６を介して駆動ローラ１６ａの外周上に設けられている。２次転写ローラ１９は、中間転写ベルト１６を介して転写対向ローラ１６ｃとの間で後述する縦搬送路を挟む位置に設けられている。ドラムクリーナ１８は、感光体ドラム１１に対して図中右側から接触配置されている。
【００１６】
給紙部４は、２つの給紙カセット４ａ，４ｂを上下に重ねて有する。各給紙カセット４ａ，４ｂの図中右上端には、カセット内に収容された最上端の用紙Ｐを取出すピックアップローラ２０がそれぞれ設けられている。ピックアップローラ２０による用紙取出し方向下流側に隣接した位置には、それぞれ、送りローラ２１と分離ローラ２２とが互いに接続して配置されている。  
また、各給紙カセット４ａ，４ｂの図中右側に隣接した位置には、上述した中間転写ベルト１６と２次転写ローラ１９とが転接した２次転写領域を通って略鉛直上方に延びた縦搬送路が設けられている。その縦搬送路上には、用紙Ｐ上に転写された現像剤像を過熱及び加圧して定着させる定着部２３が設けられている。定着部２３は、ヒータを内蔵した加熱ローラ２３ａ及び加熱ローラ２３ａに押圧配置された加圧ローラ２３ｂを有する。
【００１７】
次に、カラーデジタル複写機１による画像形成動作について説明する。  
先ず、カラー画像を形成するカラー動作について説明する。初期動作として、ブラック現像器１４が下方に移動されてドラム表面から離間され、リボルバー１５が時計回り方向に回転されてイエロー現像器１５Ｙがドラム表面に対向される。また、軸を中心に反時計回り方向に回転されて中間転写ベルト１６から離間され、２次転写ローラ１９が縦搬送路から離間する図中右方向に移動されて中間転写ベルト１６から離間される。
【００１８】
そして、スキャナ部２を介して図示しない原稿から画像データが読取られ、或いは図示しない外部装置から画像データが入力される。さらに、感光体ドラム１１が時計回り方向に回転されてドラム表面が帯電装置１２によって所定の電位に一様に帯電される。このとき、中間転写ベルト１６も、反時計回りに回転される。
【００１９】
さらに、色分解したイエロー用の画像データに基づいて、露光装置１３が動作し、ドラム表面にイエローの静電潜像が形成される。続いて、イエロー現像器を介してドラム表面上の静電潜像にイエロー現像剤が供給され、イエロー用の静電潜像が現像されてドラム表面上にイエロー現像剤像が形成される。このようにしてドラム表面上に形成されたイエロー現像剤像は、感光体ドラム１１の回転によって移動され、中間転写ベルト１６に転接した一次転写領域を通過される。  
このとき、１次転写ローラ１７を介してイエロー現像剤像の電位と逆極性のバイアスが与えられ、ドラム表面上のイエロー現像剤像が中間転写ベルト１６上に転写される。
【００２０】
イエロー現像剤像が中間転写ベルト１６上に転写された後、転写されずにドラム表面に残留したイエロー現像剤がドラムクリーナ１８によって除去される。このとき、同時にドラム表面上の残留電荷も除電される。
【００２１】
そして、ドラム表面上に次のマゼンダ用の静電潜像を形成する準備のため、ドラム表面が帯電装置１２によって一様に帯電され、リボルバー１５が回転されてマゼンダ現像器１５Ｍがドラム表面に対向される。  
この状態で、上述した一連のプロセス、すなわち、露光→現像→中間転写ベルトへの転写がなされ、マゼンダ現像剤が中間転写ベルト１６上でイエロー現像剤像に重ねて転写される。このようにして、マゼンダ現像剤像が転写された後、同様にして、シアン現像剤が重ねて転写される。
【００２２】
そして、いずれの現像器もドラム表面に対向しないホームポジションにリボルバー１５が回転されて、代わりにブラック現像器１４が上昇されてドラム表面に対向される。この状態で、上述したプロセスと同様のプロセスが実行され、ブラック現像剤像がイエロー現像剤像、マゼンダ現像剤像、シアン現像剤像に重ねて中間転写ベルト１６上に転写される。
【００２３】
このようにして、全ての色の現像剤像が中間転写ベルト１６上で重ねられると、２次転写ローラ１９が図中左方向に移動されて中間転写ベルト１６に転接され、ベルトクリーナ２５も中間転写ベルト１６に接触される。この状態で、中間転写ベルト１６上で重合された全て色の現像剤像は、中間転写ベルト１６の回転によって移動されて、２次転写ローラ１９との間の２次転写領域を通過される。  
このとき、ピックアップローラ２０によって例えば給紙カセット４ａから取出された用紙Ｐが、縦搬送路を上方に搬送され２次転写領域へ送り込まれる。
【００２４】
そして、２次転写ローラ１９を介して、各色の現像剤像の電位と逆極性のバイアスが印加され、中間転写ベルト１６上の各色の現像剤像が、用紙Ｐ上に転写される。現像剤像を用紙Ｐに転写した後、ベルトクリーナ２５によって、中間転写ベルト１６上に残留した現像剤が除去される。
【００２５】
各色の現像剤像がまとめて転写された用紙Ｐは、この後、定着部２３を通過されて加熱及び加圧され、各色の現像剤像が用紙Ｐ上に定着され、カラー画像が形成される。このように、カラー画像が形成された用紙Ｐは、定着部２３の下流側に設けられた排紙トレイ２４上に排出される。
【００２６】
このようにカラー画像を形成するカラー動作は、リボルバー１５に収容されたイエロー、シアン、マゼンダの各色の現像剤を供給して現像剤像とするために感光体ドラム１１は３回転し、さらに、ブラックの現像剤を供給して現像剤像とするときに感光体ドラム１１は１回転する。すなわち、前記カラー動作は、現像剤を供給する動作を４回（複数回）繰り返すことにより画像を形成する動作である。
【００２７】
なお、シアン、マゼンダ、イエローの３色によりカラー画像を形成するカラーデジタル複写機の場合は、現像剤を供給する動作を３回（複数回）行う動作である。このような構成の複写機は、動作回数が少なくなるので印刷速度を速くしたい場合には有効である。
【００２８】
次に、モノクロ画像を形成するモノクロ動作について説明する。初期動作として、イエロー現像器１５Ｙ、マゼンダ現像器１５Ｍ、シアン現像器１５Ｃのいずれの現像器も感光体ドラム１１の表面に対向しないホームポジションにリボルバー１５が位置される。また、ブラック現像器１４が感光体ドラム１１表面に対向されるように配置される。  
続いて、カラー動作で説明したブラックの画像を形成する動作がおこなわれ、ブラック現像剤像が用紙Ｐ上に形成される。
【００２９】
このようにモノクロ動作は、ブラックの現像剤を供給して現像剤像とするために感光体ドラムは１回転する。すなわち、前記モノクロ動作は、現像剤を供給する動作を１回行うことにより画像を形成する動作である。
【００３０】
続いて、カラーデジタル複写機１の制御構成を図２から図５を参照して説明する。図２はコントロールパネル部７、図３はスキャナ部２、図４はプリンタ部３、図５は基本処理部８の制御構成をそれぞれ示している。
【００３１】
図２から図５に示すように、メインＣＰＵ（制御部）６１、コントロールパネルＣＰＵ３１、スキャナＣＰＵ４１、及びプリンタＣＰＵ５１がそれぞれ基本処理部８、コントロールパネル部７、スキャナ部２、プリンタ部３を制御している。また、メインＣＰＵ６１は、コントロールパネルＣＰＵ３１、スキャナＣＰＵ４１、及びプリンタＣＰＵ５１と通信してこれらを制御している。
【００３２】
コントロールパネルＣＰＵ３１は、ＲＯＭ３２、ＲＡＭ３３と接続されている。コントロールパネルＣＰＵ３１はＲＯＭ３２、ＲＡＭ３３に記憶されたデータをもとにコントロールパネル３４上のキー、例えば、コピー動作の開始を受付けるためのスタートキーの検知、ＬＥＤの点灯、消灯、表示器、及びタッチパネルの制御等を行っている。ユーザはコントロールパネル３４を操作して複写を行うときにモードを設定する。モード設定には、例えば、画像モード設定や原稿モード設定がある。画像モードは、“フルカラー”、“ブラック”、“自動原稿判定”が設けられている。フルカラーモードは、原稿の種類に関わらずフルカラーで複写を行うモードである。ブラックモードは、原稿の種類に関わらず白黒で複写を行うモードである。自動原稿判定モードは、原稿のカラー、モノクロテキスト、モノクロ写真を自動判定して、カラー原稿はフルカラー、モノクロテキストはモノクロ印字を、モノクロ写真はモノクロ多値印字を行うモードである。また、“自動原稿判定”に代えて“自動色判定”を設けても良い。自動色判定モードは、原稿がカラーかモノクロかを判断して、カラー原稿であればカラー動作で印字を行い、モノクロ原稿であればモノクロ動作で印字を行うモードである。そして、ユーザは画像モードを設定した後原稿モードを設定する。原稿モードは、原稿の種類として“テキスト／写真”、“テキスト”、“印刷写真”などのモードを設定できる。なお、テキスト／写真モードは、テキストと印刷写真が混在する原稿を、テキストモードは文字（又は文字と線画）のみの原稿を、印刷写真モードは写真原稿に適した処理を行うように設定するモードである。なお、原稿の自動判定は、上記原稿の種別の判定のみに限られず、例えば、さらに、フォトグラフィックペーパーに印刷されているフォト、マップ、カラー写真などから原稿の種別を判定するようにしても良い。また、原稿の種別の判定は、ページ毎に判定されなくても、所定の各ブロック毎に判定される構成としても良い。また、ユーザはコントロールパネル３４を操作して複写を行うときの原稿の拡大や縮小などの倍率を設定できる。
【００３３】
スキャナＣＰＵ４１はＲＯＭ４２、ＲＡＭ４３に記憶されたデータをもとに、図示しないモータ、ソレノイド等の機構部４４の制御、オートドキュメントフィーダ（ＡＤＦ）４５、座標入力装置（エディタ）４６、アナログデジタル変換回路（Ａ／Ｄ）４７、シェーディング補正回路（ＳＨＤ）４８、ラインメモリ４９等の制御を行っている。
【００３４】
また、Ａ／Ｄ４７にはＣＣＤ部５０が接続されている。ＣＣＤ部５０はこの実施の形態においては、図７に示すように、モノクロＣＣＤセンサ５０ａとカラーＣＣＤセンサ５０ｂの２つのデバイスにより画像を読取るようになっている。しかし、図８に示すように、黒（Ｋ）、赤（Ｒ）、緑（Ｇ）、青（Ｂ）の各色４本のラインセンサを用いた１つのデバイス５０ｃにより画像を読取る構成としても良い。このようにスキャナ部２に設けられるセンサは、特性の異なるセンサが配置される。なお、このセンサの特性は、色が異なるだけでなく、画像を読取る解像度や画像を読取る速度が異なるものでも良い。図９に示すように、モノクロＣＣＤセンサ５０ａで読取られた画像はモノクロＣＣＤスキャン処理部１０１で処理され、カラーＣＣＤセンサ５０ｂで読取られた画像はカラーＣＣＤスキャン処理部１０２で処理される。この各処理部で読取られた原稿の画像データに施す各処理部の画像処理は、例えば、読取られた画像データを増幅する処理、アナログ信号からデジタル信号への変換処理、シェーディング補正処理、γ補正処理である。なお、原稿をモノクロ画像で読取るモノクロＣＣＤセンサ５０ａは、原稿をカラー画像で読取るカラーＣＣＤセンサ５０ｂに比べて、読取り速度や解像度において優れるものを用いても良い。
【００３５】
プリンタＣＰＵ５１は、ＲＯＭ５２、ＲＡＭ５３に記憶されたデータをもとに、図示しないモータ、ソレノイド等の機構部５４の制御、ソータ５５、ラージカセットフィーダ（ＬＣＦ）５６、レーザ変換回路５７、半導体レーザ５９を制御するレーザドライブ回路５８等の制御を行っている。プリンタＣＰＵ５１は、このように各部を制御することにより、メインＣＰＵ６１の制御の下で前述したカラー動作、モノクロ動作を実現する。
【００３６】
メインＣＰＵ６１はＲＯＭ６２、ＲＡＭ６３に格納された制御プログラムに従って、カラーデジタル複写機１を総合的に制御する。また、ＲＯＭ６２には、画像処理時に使用される各種パラメータが記憶されている。
【００３７】
図６に示すように、ＲＯＭ６２の記憶領域の一部には、各種画像処理で使用されるパラメータを記憶するパラメータ部６４が設けられている。そのパラメータ部６４は、フィルタ処理パラメータ部６４ａ、識別処理パラメータ部６４ｂ、圧縮／伸長処理パラメータ部６４ｃ、階調処理パラメータ部６４ｄ、下地処理パラメータ部６４ｅ、レンジ補正処理パラメータ部６４ｆ、濃度調整処理パラメータ部６４ｇ、γ補正処理パラメータ部６４ｈ、色変換処理パラメータ部６４ｉ、墨入れ処理パラメータ部６４ｊが設けられている。この各パラメータ部６４には、上述の画像モード及び原稿モードの種類に応じてパラメータが設けられている。また、設定された画像モード、原稿モードに基づいて、メインＣＰＵ６１が各画像処理を行うときにパラメータを選択して処理を行う画像処理部に設定する。なお、このような構成によるパラメータの設定は、上述の各パラメータ部で示した全てのパラメータを設ける必要はなく、１つでも良いし、任意に組み合わされた構成でも良い。
【００３８】
また上記フィルタ処理パラメータ部６４ａには、さらに、複写を行うときに原稿の拡大縮小が設定されたときに、その倍率に応じてフィルタ係数とフィルタ強度を設定するためのパラメータが複数記憶されている。このフィルタ係数とフィルタ強度の倍率に応じた設定は、例えば、テーブルから、すなわち、予め定められた範囲の倍率は設定された値を選択して設定するものとしても良い。また、複数の値を所定の倍率に対応させて記憶しておき、指定された倍率に応じて線形補間を行い、その算出結果を設定するようにしても良い。
【００３９】
データ切り替え及びバッファメモリ部６５はスキャナ部２で読取ったデータをどこへ送るか、また、プリンタ部３へはどのデータを送るのかの切り替え及びバッファリングを行う。画像処理部６６の構成及び作用の詳細な説明は後述する。圧縮／伸長部６７は画像データの圧縮伸長を行い、ページメモリ６８は画像データをページ毎に蓄える。ディスプレイメモリ６９はディスプレイに表示される画像データを格納し、プリンタコントローラ７０はパーソナルコンピュータ７１からのコードデータを画像データに展開する。ディスプレイフォントＲＯＭ７２はディスプレイメモリ７３上にコードデータを展開し、プリントフォントＲＯＭ７４はページメモリ６８上にコードデータを展開し、圧縮メモリ７５は圧縮／伸長部６７により圧縮されたデータを蓄える。
【００４０】
メインＣＰＵ６１はさらに、Ｉ／Ｆコントローラ７６を介して、ハードディスクドライブ（ＨＤＤ）７７、光ディスクドライブ７８、ファクシミリ処理部７９、ローカルエリアネットワーク（ＬＡＮ）インターフェース（Ｉ／Ｆ）部８０、ＰＣインターフェース（Ｉ／Ｆ）部８１と接続されている。ＨＤＤ７７には、例えば、ページメモリ６８上に保存されたデータから文字認識を行うためのＯＣＲ自動認識ソフトなどの各種プログラムが格納されている。ファクシミリ処理部７９は、処理された画像データを本複写機に接続された外部通信回線（図示しない）に転送し、又は、外部通信回線からの画像データを入力する。ＬＡＮＩ／Ｆ部は８０ＬＡＮに接続された図示しないコンピュータ装置と通信を行うために使用される。ＰＣＩ／Ｆ部８１は、例えば、シリアルインターフェースであり、図示しないコンピュータ装置と通信を行うために使用される。
【００４１】
このように構成されたカラーデジタル複写機１は、スキャナ部で２読取られた画像データに画像処理部６６で画像処理が施される。その処理が施された画像データに基づいてプリンタ部３で画像形成が行われる。
【００４２】
次に画像処理部６６について図９の制御ブロックを参照して説明する。図中白抜きの矢印の流れは、スキャナ部２で読取られた画像データが画像処理部を介してプリンタ部３へ出力される画像データの流れを示している。
【００４３】
モノクロＣＣＤセンサ５０ａで読取られモノクロＣＣＤスキャン処理部１０１で補正処理が施された画像データ、あるいは、カラーＣＣＤセンサ５０ｂで読取られカラーＣＣＤスキャン処理部１０２で補正処理が施された画像データは第１の選択部１０３に入力される。この第１の選択部１０３で選択された画像データがスキャン時は第１スキャンデータ処理部１０４、第２スキャンデータ処理部１０５のいずれかへ、プリスキャン時は判定部１０６へ出力される。この第１の選択部１０３におけるスキャン時の出力画像データの選択方法については後述する。
【００４４】
第１スキャンデータ処理部１０４は、モノクロＣＣＤスキャン処理部１０１より入力されたモノクロ画像データに対してフィルタ処理、濃度調整処理、レンジ補正処理及び擬似中間調処理である誤差拡散処理を適用した階調処理まで処理する処理部である。すなわち、電子ソートを実現するページメモリ上のアクセス時間等を速くするハンドリングやＯＣＲ自動認識ソフトへの活用をよくさせるために、圧縮／伸長部６７前に画像データ量を第２スキャンデータ処理部１０５より低ビット（Ｍビット）とする処理速度（Ｖ１）を優先させた処理である。なお、フィルタ処理、濃度調整処理、階調処理が行われるときに、各処理を行うときに用いられるパラメータは、メインＣＰＵ６１がフィルタ処理パラメータ部６４ａ、濃度調整処理パラメータ部６４ｇ、レンジ補正処理パラメータ部６４ｆ、階調処理パラメータ部６４ｄに格納された複数のパラメータから、原稿の複写を行うモードに基づいて選択し設定する。
【００４５】
第２スキャンデータ処理部１０５は、カラーＣＣＤスキャン処理部１０２より入力されたＲＧＢのカラー画像データに対して色変換処理、フィルタ処理及び濃度調整処理、下地処理、識別処理等の処理を施す。また、処理部１０５は、モノクロＣＣＤスキャン処理部１０１より入力されたモノクロ画像データに対して色変換処理、フィルタ処理及び濃度調整等の処理をする。すなわち、カラー画像やモノクロ写真原稿等のように階調再現性を重視させて第１スキャンデータ処理部１０４よりも圧縮／伸長部６７前の画像データ量を多く（Ｎビット，Ｎ＞Ｍ）して処理速度（Ｖ２，Ｖ１＞Ｖ２）をやや犠牲にした画質を優先させた処理である。なお、いずれのデータについて色変換処理、フィルタ処理、濃度調整処理が行われるときに、各処理を行うときに用いられるパラメータは、メインＣＰＵ６１がＲＯＭ６２の色変換処理パラメータ部６４ｉ、フィルタ処理パラメータ部６４ａ、濃度調整処理パラメータ部６４ｇ、下地処理パラメータ部６４ｅ、識別処理パラメータ部６４ｂに格納された複数のパラメータから、原稿の複写を行うモードに基づいて選択して設定する。
【００４６】
この第１スキャンデータ処理部１０４及び第２スキャンデータ処理部１０５で処理された画像データは第２の選択部１０７へ出力される。この第２の選択部１０７における出力画像データの選択方法については後述する。そして画像データは、第２の選択部１０７から圧縮／伸長部６７へ出力される。
【００４７】
圧縮／伸長部６７は、モノクロテキストの画像データが入力されたときは、可変長圧縮／伸長部６７ａを選択して画像データを処理する。また、圧縮／伸長部６７は、カラーとモノクロ写真の画像データが入力されたときは、カラー用の固定長圧縮／伸長部６７ｂと前記可変長圧縮／伸長部６７ａの両方を選択して画像データを処理する。例えば、カラー画像データは、固定長圧縮／伸長部６７ｂで圧縮した後さらに可変長圧縮／伸長処理部６７ａで圧縮処理を行う。この各処理部の選択は、メインＣＰＵ６１の制御により原稿の種類に基づいて選択される。また、圧縮／伸長部６７の処理に使用されるパラメータは、メインＣＰＵ６１がＲＯＭ６２に記憶された圧縮／伸長処理パラメータ部６４ｃから原稿の複写を行うモードに基づいて選択して設定する。
【００４８】
圧縮／伸長部６７で圧縮されたデータは一旦ページメモリ６８で保存される。そして、ページメモリ６８から圧縮／伸長部６７で伸長されて第１プリントデータ処理部１０８及び第２プリントデータ処理部１０９に入力される。
【００４９】
第１プリントデータ処理部１０８は、第１スキャンデータ処理部１０４からの低ビット（Ｍビット）の画像データに適した処理スピードを優先させた階調処理を行う。第１プリントデータ処理部１０８は、入力された画像データにスムージング処理を行ってモノクロ処理を行いプリンタ部３に出力する。なお、階調処理が行われるときに用いられるパラメータは、メインＣＰＵ６１がＲＯＭ６２の階調処理パラメータ部６４ｄに格納された複数のパラメータから、原稿の複写を行うモードに基づいて選択して設定する。
【００５０】
第２プリントデータ処理部１０９は、第１プリントデータ処理部１０８より多ビット（Ｎビット，Ｎ＞Ｍ）のデータに適した画質を優先させた階調処理を行う。第２プリントデータ処理部１０９は、墨入れ処理と階調処理などを行ってカラー多値処理を行いプリンタ部３へ出力する。なお、墨入れ処理、各階調処理が行われるときに用いられるパラメータは、メインＣＰＵ６１がＲＯＭ６２の墨入れ処理パラメータ部６４ｊ、階調処理パラメータ部６４ｄに格納された複数のパラメータから、原稿の複写を行うモードに基づいて選択して設定する。
【００５１】
この第１プリントデータ処理部１０８及び第２プリントデータ処理部１０９で処理された画像データは第３の選択部１１０へ出力される。この第３の選択部１１０における出力画像データの選択方法については後述する。そして画像データは、第３の選択部１１０からプリンタ部３へ出力される。
【００５２】
プリンタ部３は、前述したカラー動作をカラー動作部３ａにより実現し、モノクロ動作をモノクロ動作部３ｂにより実現して画像を形成する。いずれの動作で画像形成を行うかは原稿の複写を行うモードに基づいてメインＣＰＵ６１の指示により選択される。
【００５３】
また、判定部１０６は、自動原稿判定モードの場合は、原稿から読取った画像データの画素を濃度分布と頻度とをヒストグラムにし、そのヒストグラムに基づいて原稿がカラー原稿であるかモノクロテキスト原稿であるかモノクロ写真原稿であるかを判定する。なお、判定部１０６が自動色判定モードの場合は、原稿から読取ったＲＧＢ画像データの、Ｒ−Ｇ、Ｇ−Ｂ、Ｂ−Ｒの彩度の差を画素毎に算出してある値より差が大きければ、カラー原稿と判定し、差がその値より小さければモノクロ原稿と判定する。
【００５４】
判定部１０６がヒストグラムに基づいて行う原稿の種別の判定を以下に説明する。判定部１０６は、プリスキャンによりカラーＣＣＤスキャン処理部１０２で読取った画像データをもとに、原稿のヒストグラム情報を算出する。ヒストグラムは、例えば、入力された画像データ（０から２５５）の値に対して各ＲＧＢに所定の数に、例えば８分割された頻度を算出する。この分割された頻度に基づいて原稿種類の判定を行う。この原稿判定は、各ＲＧＢの頻度ばらつきと各分割領域の頻度割合によって決定する。例えば、以下のような判定を行う。
【００５５】
図１０に示すように、各分割領域のＲＧＢの頻度でばらつきが所定の閾値Ａより大きい場合は、判定部１０６はカラー原稿と判定する。図１１に示すように、各分割領域のＲＧＢの頻度でばらつきがある閾値Ａ以下で、かつ、高濃度側（８分割目）の分割領域の頻度が閾値Ｂより大きく、他の分割領域の頻度が閾値より小さい場合は、判定部１０６はモノクロテキスト原稿と判定する。図１２に示すように、各分割領域のＲＧＢの頻度でばらつきがある閾値Ａ以下で、かつ、各分割領域の頻度が閾値Ｃより大きい分割領域複数ある場合は、判定部１０６はモノクロ写真原稿と判定する。
【００５６】
メインＣＰＵ６１は判定部１０６の判定結果から得られたページ毎の原稿判定に基づいて、第１の選択部１０３、第２の選択部１０７及び第３の選択部１１０を制御して各選択部から出力する画像データの選択を行う。
【００５７】
すなわち、メインＣＰＵ６１は原稿がカラー原稿の場合は、画像データの処理モードとしてカラーの再現を優先した処理を行う第１画質優先モードを設定する。この第１画質優先モードは各選択部の選択で、カラーＣＣＤスキャン処理部１０２の出力結果と第２スキャンデータ処理部１０５の出力結果と第２プリントデータ処理部１０９の出力結果を有効とするモードである。このときメインＣＰＵ６１はプリンタ部３のカラー動作部３ａを制御してカラー動作で多値フルカラー印字を行わせる。
【００５８】
また、メインＣＰＵ６１は原稿がモノクロ写真の場合は、画像データの処理モードとしてモノクロ写真の再現を優先した処理を行う第２画質優先モードを設定する。この第２画質優先モードは各選択部の選択で、モノクロＣＣＤスキャン処理部１０１の出力結果と第２スキャンデータ処理部１０５の出力結果と第２プリントデータ処理部１０９の出力結果を有効とするモードである。このときメインＣＰＵ６１はプリンタ部３のモノクロ動作部３ｂを制御してモノクロ動作の多値モノクロ印字を行わせる。
【００５９】
第２画質優先モードでは、モノクロＣＣＤセンサ５０ａの出力を使用する。従って、原稿の画像の読取りは、モノクロＣＣＤセンサ５０ａの読取り速度に合わせてもよい。そうすれば、カラーＣＣＤセンサ５０ｂの出力を使用する第１画質優先モードよりも更に読取り時間を短くすることができる。また、この場合は、モノクロＣＣＤスキャン部１０１から得られた画像データを用いるので、カラーＣＣＤスキャン処理部１０２から得られた画像データを用いた場合に生じる細字、細線化の解像度の点で不利となる事態を回避できる。
【００６０】
また、メインＣＰＵ６１は原稿がモノクロテキストの場合は、画像データの処理モードとしてデータ量を低減して処理速度を優先する処理を行うスピード優先モードを設定する。このスピード優先モードは、各選択部の選択でモノクロＣＣＤスキャン処理部１０１の出力結果と第１スキャンデータ処理部１０４の出力結果と第１プリントデータ処理部１０８の出力結果を有効とするモードである。このときメインＣＰＵ６１はプリンタ部３のモノクロ動作部３ｂを制御してモノクロ動作のモノクロ印字を行わせる。
【００６１】
この場合も、第２画質優先モードと同じくモノクロＣＣＤセンサ５０ａの出力を使用するため、高速に読取り動作を行うことができる。
【００６２】
次に、カラーデジタル複写機１がコピーを１枚とるときの制御の一例を図１３のフローチャートを参照して説明する。
【００６３】
先ず、ステップＳＴ１０１において、メインＣＰＵ６１は、画像モードの選択か、又は、自動原稿判定モードを受付ける。このときに自動原稿判定モードを受付けた場合は、上述した原稿の種類の判定を行う。続いてステップＳＴ１０２において、メインＣＰＵ６１は、原稿モードの設定を受付ける。ステップＳＴ１０３において、メインＣＰＵ６１は、このステップＳＴ１０１，ＳＴ１０２においてされた設定又は判定に基づいて、複写を行う画像モードを判定する。原稿がカラー原稿であると、処理はステップＳＴ１０４へ進み、原稿がモノクロ写真原稿であると処理はステップＳＴ１１１へ進み、原稿がモノクロテキスト原稿であると、処理はステップＳＴ１１８へ進む。
【００６４】
ステップＳＴ１０４において、メインＣＰＵ６１は上述の第１画質優先モードを設定する。ステップＳＴ１０５において、メインＣＰＵ６１は第１の選択部１０３を制御してカラーＣＣＤスキャン処理部１０２を選択するように設定する。そして、メインＣＰＵ６１はカラーＣＣＤスキャン処理部１０２で行われる画像処理のパラメータをパラメータ部６４から選択して設定する。
【００６５】
ステップＳＴ１０６において、メインＣＰＵ６１は第２の選択部１０７を制御して第２スキャンデータ処理部１０５を選択するように設定する。そして、メインＣＰＵ６１は第２スキャンデータ処理部１０５で行われる各画像処理のパラメータをＲＯＭ６２のパラメータ部６４から選択して設定する。
【００６６】
ステップＳＴ１０７において、メインＣＰＵ６１は圧縮／伸長部６７で、画像データを固定長圧縮伸長処理した後、可変長圧縮伸長処理するように設定する。メインＣＰＵ６１は圧縮／伸長部６７で使用されるパラメータをパラメータ部６４から選択して設定する。
【００６７】
ステップＳＴ１０８において、メインＣＰＵ６１は、第３の選択部１１０を制御して第２プリントデータ処理部１０９を選択するように設定する。そして、メインＣＰＵ６１は第２プリントデータ処理部１０９で使用されるパラメータをパラメータ部６４から選択して設定する。
【００６８】
ステップＳＴ１０９において、メインＣＰＵ６１は、スキャナ部２を制御して原稿の画像を読取る。そして、取得された画像データは、上述のパラメータが設定された各処理部で処理されプリンタ部３へ出力される。
【００６９】
ステップＳＴ１１０において、メインＣＰＵ６１は、上述の各ステップで処理された画像データに基づいてプリンタ部３のカラー動作部３ａを制御してカラー動作させ多値フルカラー印字を行わせる。そして処理を終了する。
【００７０】
ステップＳＴ１１１において、メインＣＰＵ６１は上述の第２画質優先モードを設定する。ステップＳＴ１１２において、メインＣＰＵ６１は第１の選択部１０３を制御してモノクロＣＣＤスキャン処理部１０１を選択するように設定する。そして、メインＣＰＵ６１は、モノクロＣＣＤスキャン処理部１０１で使用されるパラメータをパラメータ部６４から選択して設定する。
【００７１】
ステップＳＴ１１３において、メインＣＰＵ６１は第２の選択部１０７を制御して第２スキャンデータ処理部１０５を選択するように設定する。そして、メインＣＰＵ６１は第２スキャンデータ処理部１０５で使用されるパラメータをパラメータ部６４から選択して設定する。
【００７２】
ステップＳＴ１１４において、メインＣＰＵ６１は圧縮／伸長部６７で、画像データを固定長圧縮伸長処理した後、可変長圧縮伸長処理で処理を行うように設定する。メインＣＰＵ６１は圧縮／伸長部６７で使用されるパラメータをパラメータ部６４から選択して設定する。
【００７３】
ステップＳＴ１１５において、メインＣＰＵ６１は、第３の選択部１１０を制御して第２プリントデータ処理部１０９を選択するように設定する。そして、第２プリントデータ処理部１０９で使用されるパラメータをパラメータ部６４から選択して設定する。
【００７４】
ステップＳＴ１１６において、メインＣＰＵ６１は、スキャナ部２を制御して原稿の画像を読取る。そして、取得された画像データは、上述のパラメータが設定された各処理部で処理されプリンタ部３へ出力される。
【００７５】
ステップＳＴ１１７において、メインＣＰＵ６１は、上述の各ステップで処理された画像データに基づいてプリンタ部３のモノクロ動作部３ｂを制御してモノクロ印字動作させ多値モノクロ印字を行わせる。そして処理を終了する。
【００７６】
ステップＳＴ１１８において、メインＣＰＵ６１は上述のスピード優先モードを設定する。ステップＳＴ１１９において、メインＣＰＵ６１は第１の選択部１０３を制御してモノクロＣＣＤスキャン処理部１０１を選択するように設定する。そして、メインＣＰＵ６１はモノクロＣＣＤスキャン処理部１０１で行われる画像処理のパラメータをパラメータ部６４から選択して設定する。
【００７７】
ステップＳＴ１２０において、メインＣＰＵ６１は第２の選択部１０７を制御して第１スキャンデータ処理部１０４を選択するように設定する。そして、メインＣＰＵ６１は第１スキャンデータ処理部１０４で行われる各画像処理のパラメータをパラメータ部６４から選択して設定する。
【００７８】
ステップＳＴ１２１において、メインＣＰＵ６１は圧縮／伸長部６７で、画像データを可変長圧縮伸長処理で処理を行うように設定する。メインＣＰＵ６１は圧縮／伸長部６７で使用されるパラメータをパラメータ部６４から選択して設定する。
【００７９】
ステップＳＴ１２２において、メインＣＰＵ６１は、第３の選択部１１０を制御して第１プリントデータ処理部１０８を選択するように選択する。そして、メインＣＰＵ６１は第１プリントデータ処理部１０８で使用されるパラメータをパラメータ部６４から選択して設定する。
【００８０】
ステップＳＴ１２３において、メインＣＰＵ６１は、スキャナ部２を制御して原稿の画像を読取る。そして、取得された画像データは、上述のパラメータが設定された各処理部で処理されプリンタ部３へ出力される。
【００８１】
ステップＳＴ１２０において、メインＣＰＵ６１は、上述の各ステップで処理された画像データに基づいてプリンタ部３のモノクロ動作部３ｂを制御してモノクロ動作させモノクロ印字を行わせる。そして処理を終了する。
【００８２】
なお、この制御の一例はコピーを１枚行う場合で説明したが、ＡＤＦ４５により連続で原稿を読取り複写を行う場合は、上述の処理を原稿の枚数に応じて繰り返せば良い。
【００８３】
次に、モノクロ写真原稿の複写を行うときを一例としてカラーデジタル複写機１の動作について説明する。
【００８４】
ユーザはモノクロ写真原稿を図示しない原稿台におき、コントロールパネル３４を操作して自動原稿判定モードを設定し原稿モードをテキスト／写真としてスタートキーを入力する。
【００８５】
複写を行う原稿は、プリスキャン動作により読取った画像データに基づいた判定部１０６の判定結果からモノクロ写真原稿であると判定される。
【００８６】
モノクロ写真原稿と判定されたことにより、第２画質優先モードが設定される。すなわち、第１の選択部１０３でモノクロＣＣＤスキャン処理部１０１の出力結果を選択し、第２の選択部１０７で第２スキャンデータ処理部１０５の出力結果を選択し、第３の選択部１１０で第２プリントデータ処理部１０９の出力結果を選択する。このとき、モードの設定に基づいてメインＣＰＵ６１は選択した各処理部に適応したパラメータがパラメータ部６４から選択して設定する。
【００８７】
すなわち、モノクロＣＣＤスキャン処理部１０１からの画像データが、第２スキャンデータ処理部１０５で色変換処理、フィルタ処理及び濃度調整等の処理がされた後、圧縮／伸長部６７で、可変長圧縮／伸長部と固定長圧縮／伸長部との両方を選択して圧縮伸長処理され、ページメモリ６８に蓄えられる。ページメモリ６８から圧縮／伸長部６７で伸長された画像データは、第２プリントデータ処理部１０９で墨入れ処理、階調処理などのモノクロ用多値処理を行い、プリンタ部３に出力される。
【００８８】
プリンタ部３のモノクロ動作部３ｂは、入力された画像データに基づいてモノクロ動作の多値モノクロ印字を行うことにより、モノクロ写真原稿の複写が行なわれる。したがって、カラーデジタル複写機１は、細字、細線化等の解像度を犠牲にすることなく、高画質のままでモノクロ画像の複写を実現することができる。
【００８９】
この実施の形態のカラーデジタル複写機１は、プリスキャンにより、原稿を読取りページ毎に原稿の種別を、カラー、モノクロ写真、モノクロテキストの中から判定する。前記複写機１は、ユーザによるコントロールパネル部７からの指定、又は、前記判定結果により、第１画質優先モード、第２画質優先モード及びスピード優先モードのいずれかのモードに応じて画像処理部６６に予め用意された複数の画像処理部から処理部を選択して画像データの処理を行うことができる。また、この処理を行うときに、各処理で適切なパラメータを設定できるのでプリンタ部３で形成する画像の質を向上できる。また、画像データの圧縮伸長処理を行うのでページメモリ６８上のデータ量を低減できる。したがって、前記複写機１は、画像の劣化を抑えて生産性を向上させることを実現できる。
【００９０】
なお、この実施の形態では、スキャナ部２で読取った原稿の画像データに画像処理を施した後、その画像データに基づいてプリンタ部３で印字を行う場合を説明している。しかしながら、画像処理部６６に入力された画像データをＬＡＮＩ／Ｆ部８０、ＰＣＩ／Ｆ部８１などに接続されたコンピュータ装置などへ出力しても良い。この設定は、例えば、ユーザがコントロールパネル３４で設定する。また、このときに出力する画像データは、スキャナ部２で読取った画像処理部６６で処理する前の画像データでも良いし、各処理部で処理された後の画像データを出力するようにしても良い。
【００９１】
また、ユーザによりコントロールパネル３４から原稿の拡大、縮小が設定されている場合に、その倍率に応じて第１のスキャンデータ処理部１０４、第２のスキャンデータ処理部１０５のフィルタ処理のフィルタ係数、フィルタ強度の係数が設定されるので、プリンタ部３で画像を形成するときにボケが発生しないように画像処理できる。
【００９２】
（第２の実施の形態）
次に第２の実施の形態について説明する。この第２の実施の形態は第１の実施の形態の原稿種別判定に代えて自動色判定を行う構成となっている。
【００９３】
ステップＳＴ２０１において、メインＣＰＵ６１は画像モードの選択か、又は、自動色判定モードを受付ける。このときに、自動色判定モードを受付けた場合は、上述した原稿の色判定を行う。続いて、ステップＳＴ２０２において、メインＣＰＵ６１は原稿モードの選択を受付ける。このステップＳＴ２０１、ステップＳＴ２０２においてされた設定又は判定に基づいて、画像モードを判定する。原稿がカラー原稿であると処理はステップＳＴ２０４へ進み、原稿がモノクロ原稿であると処理はステップＳＴ２１１へ進む。
【００９４】
ステップＳＴ２０３において、メインＣＰＵ６１は画像データを処理するモードとしてカラーモードを選択して設定する。カラーモードの画像処理ステップＳＴ２０５からＳＴ２１０の処理は、上述したステップＳＴ１０５からＳＴ１１０の処理と同様の処理である。
【００９５】
ステップＳＴ２０９において、メインＣＰＵ６１は画像データを処理するモードとしてモノクロモードを選択設定する。モノクロモードの画像処理ステップ２１２から２１７は、上述したステップＳＴ１１９からＳＴ１２４の処理と同様の処理である。
【００９６】
このように予め設けられた複数の画像処理部からユーザの指定、又は自動色判定された原稿の種類に応じて適切な画像処理部を選択して画像データに画像処理を施すことができる。また、この処理を行うときに、各処理で適切なパラメータを設定できるのでプリンタ部３で形成する画像の質を向上できる。
【００９７】
（第３の実施の形態）
次に、第３の実施の形態について説明する。前述した第１の実施の形態と同一の部分には同一の符号を付し詳細な説明は省略する。この実施の形態は画像処理部６６の構成が図１５で示すように構成されている。
【００９８】
画像処理部６６の構成を図１５を参照して説明する。スキャナ部２に設けられたモノクロＣＣＤスキャン処理部１０１及びカラーＣＣＤスキャン処理部１０２からの画像データが第１の選択部１０３へ出力される。第１の選択部１０３は、プリスキャン時は、カラーＣＣＤスキャン処理部１０２からの画像データが判定部１０６へ出力される。第１の選択部１２１は、スキャン時は、入力された画像データのいずれかを第１画像処理部１２１と共に第２画像処理部１２２へ出力する。そして、第１の画像処理部１２１、第２の画像処理部１２２で処理された画像データは共に第２の選択部１２３へ出力される。第２の選択部１２３は、入力されたいずれかの画像データをプリンタ部３へ出力する。なお、第１の画像処理部１２２及び第２の画像処理部１２３は、この図で図示していない圧縮／伸長部６７やページメモリ６８を利用して画像データの処理を行っても良いし、圧縮／伸長部６７やページメモリ６８を含む処理部としても良い。
【００９９】
このように画像処理部が構成されたカラーデジタル複写機１の画像処理の一例を、図１６のフローチャートを参照して説明する。
【０１００】
図１３のフローチャートで説明したステップＳＴ１０６、ＳＴ１０７、ＳＴ１０８の処理に代えてステップＳＴ３０１の処理、ＳＴ１１３、ＳＴ１１４、ＳＴ１１５の処理に代えてステップＳＴ３０２の処理、ＳＴ１２０、ＳＴ１２１、ＳＴ１２２の処理に代えてステップＳＴ３０３の処理が行われる構成となっている。
【０１０１】
ステップＳＴ３０１において、メインＣＰＵ６１は、第２の選択部１２３で第２画像処理部１２２を選択するように設定する。そして、メインＣＰＵ６１は第２画像処理部１２２で使用されるパラメータをパラメータ部６４から選択して設定する。すなわち、カラー画像データを処理するのに適したパラメータが、例えば、色変換処理、フィルタ処理、濃度調整処理、下地処理、識別処理、墨入れ処理、階調処理、スムージング処理を行うために設定される。
【０１０２】
ステップＳＴ３０２において、メインＣＰＵ６１は、第２の選択部１２３で第２画像処理部１２２を選択するように設定する。そして、メインＣＰＵ６１は第２画像処理部１２２で使用されるパラメータをパラメータ部６４から選択して設定する。すなわち、モノクロ写真画像データを処理するのに適したパラメータが、例えば、色変換処理、フィルタ処理、濃度調整処理、識別処理、階調処理、スムージング処理を行うために設定される。
【０１０３】
ステップＳＴ３０３において、メインＣＰＵ６１は、第２の選択部１２３で第１画像処理部１２１を選択するように設定する。そして、メインＣＰＵ６１は第１画像処理部１２１で使用されるパラメータをパラメータ部６４から選択して設定する。すなわち、モノクロテキスト画像データを処理するのに適したパラメータが、例えば、フィルタ処理、濃度調整処理、レンジ補正処理、階調処理、スムージング処理を行うために設定される。
【０１０４】
このように画像処理部６６に第１の画像処理部１２１及び第２の画像処理部１２２を設け、ユーザからのコントロールパネル部７からの指定又は判定部１０６の判定に応じて画像処理部を選択することにより適切な画像処理を施すことができる。
【０１０５】
また、この第３の実施の形態においては、第１の画像処理部１２１と第２の画像処理部１２２と２つの処理部を画像処理部６６に設けているが、３個以上の画像処理部を設ける構成として、各選択部でユーザのコントロールパネル部７からの指示、又は、判定部１０６の判定結果に応じて選択する構成としても良い。
【０１０６】
（第４の実施の形態）
次に、第４の実施の形態について説明する。この第４の実施の形態は、第３の実施の形態の原稿種別判定に代えて自動色判定を行う構成となっている。
【０１０７】
この第４の実施の形態は、図１７のフローチャートに示すように、第２の実施の形態の処理のステップＳＴ２０６、ＳＴ２０７、ＳＴ２０８の処理に代えてステップＳＴ３０１の処理、ＳＴ２１１、ＳＴ２１２、ＳＴ２１３の処理に代えてステップＳＴ３０２の処理が行われる構成となっている。
【０１０８】
この第４の実施の形態においても第２の実施の形態、第３の実施の形態の効果を奏することができる。
【０１０９】
（第５の実施の形態）
次に、第５の実施の形態について説明する。前述した第３の実施の形態と同一の部分には同一の符号を付し詳細な説明は省略する。この実施の形態は画像処理部６６の構成が図１８で示すように構成されている。
【０１１０】
画像処理部６６の構成を、図１８を参照して説明する。スキャン時は、スキャナ部２に設けられたモノクロＣＣＤスキャン処理部１０１からの画像データが第１画像処理部１２１に、カラーＣＣＤスキャン処理部１０２からの画像データが第２の画像処理部１２２及び判定部１０６へそれぞれ同時に出力される。また、第１の画像処理部１２１、第２の画像処理部１２２で処理された画像データは共に選択部１２４へ出力される。選択部１２４は、入力されたいずれかの画像データをプリンタ部３へ出力する。
【０１１１】
また、第１の画像処理部１２１及び第２の画像処理部１２２には、記憶部を設けた構成となっている。この記憶部は、スキャン時に出力された画像データにより判定部１０６の判定結果がでるまでに各画像処理部で処理された画像データを一時的に蓄えるために設けられている。そして、判定部１０６の判定結果に基づいて画像処理部が選択されると、蓄えられた画像データは記憶部から順次、プリンタ部３へ出力される。
【０１１２】
このように画像処理部が構成されたカラーデジタル複写機１の画像処理の一例を、図１９のフローチャートを参照して説明する。
【０１１３】
上述したステップＳＴ１０１、ＳＴ１０２の処理、すなわち、原稿の種別の指定を受付けるか、原稿の種別の判定を行い、原稿モードの指定を受付ける。
【０１１４】
続いて、ステップＳＴ４０１において、メインＣＰＵ６１は、モノクロＣＣＤスキャン処理部１０１とカラーＣＣＤスキャン処理部１０２のパラメータの設定を行う。ステップＳＴ４０２において、メインＣＰＵは、第１画像処理部１２１と第２画像処理部のパラメータ設定を行う。この各処理部のパラメータ設定を行った後、ステップＳＴ４０３において、メインＣＰＵ６１は、スキャナ部２を制御して原稿の画像を読取る。
【０１１５】
そして、ステップＳＴ４０４において、メインＣＰＵ６１は、ステップＳＴ１０１、ＳＴ１０２においてされた設定に基づいて画像モードを判定する。原稿がカラーと判定されると処理は、ステップＳＴ４０５へ進み、原稿がモノクロと判定されると処理はステップＳＴ４０６へ進む。
【０１１６】
ステップＳＴ４０５において、メインＣＰＵ６１は、選択部１２４で第２画像処理部１２２を選択するように設定する。従って、読取動作によってカラーＣＣＤスキャン処理部１０２で取得された画像データが第２画像処理部１２２で処理されてプリンタ部３へ出力される。そして上述したステップＳＴ２１０の処理が行われる。
【０１１７】
ステップＳＴ４０６において、メインＣＰＵ６１は、選択部１２４で第１画像処理部１２１を選択するように設定する。従って、読取動作によってモノクロＣＣＤスキャン処理部１０１で取得された画像データが第１画像処理部１２１で処理されてプリンタ部３へ出力される。そして、上述したステップＳＴ２１７の処理が行われる。
【０１１８】
このように構成すると、モードの判定を行う前に原稿画像の読取り動作を開始して画像データの処理を行うことができる。これにより、原稿の画像の読取り動作を直ちに開始できる。
【０１１９】
このようにカラースキャンＣＣＤ処理部１０２及びモノクロＣＣＤスキャン処理部１０１で処理された画像データを同時に出力される構成のため、第１の画像処理部１２１及び第２の画像処理部１２２へ出力する画像データを選択する選択部を設ける必要がない。従って、画像処理部６６の構成を簡略化できる。さらにプリスキャンを行わずに原稿の判定を行うことができる。
【０１２０】
（第６の実施の形態）
次に第６の実施の形態について説明する。前述した第４の実施の形態と同一の部分には同一の符号を付し詳細な説明は省略する。この実施の形態は画像処理部６６の構成が図２０で示すように構成されている。
【０１２１】
画像処理部６６の構成は、モノクロＣＣＤスキャン処理部１０１及びカラーＣＣＤスキャン処理部１０２で処理された画像データを選択する第１の選択部１２５を有している。この第１の選択部１２５から出力される画像データは、プリスキャン時は判定部１０６へ出力され、スキャン時は単一の画像処理部１２６へ出力される。この単一の画像処理部１２６から出力される画像データはプリンタ部３へ出力される。なお、単一の画像処理部１２６は、ＲＯＭ６２のパラメータ部６４に記憶された各画像処理に使用されるパラメータを選択することにより複数の画像処理を行うことができる。例えば、モノクロ画像データ処理用のパラメータを選択して設定すれば、モノクロ画像データ処理部となり、カラー画像データ処理用のパラメータを選択して設定すればカラー画像データ処理部となる。
【０１２２】
このように画像処理部６６が構成されたカラーデジタル複写機１の画像処理の一例を、図２１のフローチャートを参照して説明する。図１７で示すフローチャートのステップＳＴ３０１の処理がステップＳＴ５０１の処理となり、ステップＳＴ３０３の処理がステップＳＴ５０２の処理となっている。
【０１２３】
ステップＳＴ５０１において、メインＣＰＵ６１は、画像処理部１２６に第２パラメータを設定する。また、ステップＳＴ５０２において、メインＣＰＵ６１は、画像処理部１２６に第１パラメータを設定する。
【０１２４】
従って、単一の画像処理部１２６の画像処理に使用される第１のパラメータ、第２のパラメータをメインＣＰＵ６１がユーザのコントロールパネル部７からの指定により、又は、判定部１０６の判定結果に応じて選択して設定できる。これにより、原稿の種別に応じた画像処理を１つの選択部１２５及び単一の画像処理部１２６を有する簡略化した構成で行うことができる。
【０１２５】
なお、この発明は、上記実施の形態そのままに限定されるものではなく、実施段階ではその要旨を逸脱しない範囲で構成要素を変形して具体化できる。また、上記実施形態に開示されている複数の構成要素の適宜な組み合わせにより種々の発明を変形できる。例えば、実施形態に示される全構成要素から幾つかの構成要素を削除してもよい。更に、異なる実施形態に亘る構成要素を適宜組み合わせてもよい。
【図面の簡単な説明】
【０１２６】
【図１】本発明の各実施の形態における画像形成装置の概略断面図である。
【図２】コントロールパネル部の制御ブロックを示す図である。
【図３】スキャナ部の制御ブロックを示す図である。
【図４】プリンタ部の制御ブロックを示す図である。
【図５】基本処理部の制御ブロックを示す図である。
【図６】画像処理に使用されるパラメータを記憶するパラメータ部を概念的に示す図である。
【図７】モノクロＣＣＤセンサとカラーＣＣＤセンサの概略構成を示す図である。
【図８】４ラインセンサの概略構成を示す図である。
【図９】第１の実施の形態の画像処理の構成を示す図である。
【図１０】カラー原稿の濃度と頻度とを示すヒストグラムである。
【図１１】モノクロテキスト原稿の濃度と頻度とを示すヒストグラムである。
【図１２】モノクロ写真原稿の濃度と頻度とを示すヒストグラムである。
【図１３】第１の実施の形態の画像処理の一例を示すフローチャートである。
【図１４】第２の実施の形態の画像処理の一例を示すフローチャートである。
【図１５】第３の実施の形態の画像処理の構成を示す図である。
【図１６】第３の実施の形態の画像処理の一例を示すフローチャートである。
【図１７】第４の実施の形態の画像処理の一例を示すフローチャートである。
【図１８】第５の実施の形態の画像処理の構成を示す図である。
【図１９】第５の実施の形態の画像処理の一例を示すフローチャートである。
【図２０】第６の実施の形態の画像処理の構成を示す図である。
【図２１】第６の実施の形態の画像処理の一例を示すフローチャートである。
【符号の説明】
【０１２７】
１…画像形成装置，２…スキャナ部，３…プリンタ部，３ａ…カラー動作部，３ｂ…モノクロ動作部，７…コントロールパネル部，６１…メインＣＰＵ，６６…画像処理部，６７…圧縮・伸長部，６８…ページメモリ，１０１…モノクロＣＣＤスキャン処理部，１０２…カラーＣＣＤスキャン処理部，１０３，１０７，１１０，１２３，１２４，１２５…選択部，１０４，１０５，１０８，１０９，１２１，１２２，１２６…処理部，１０６…判定部
【図１】
2006287971.tif 000003
【図２】
2006287971.tif 000004
【図３】
2006287971.tif 000005
【図４】
2006287971.tif 000006
【図５】
2006287971.tif 000007
【図６】
2006287971.tif 000008
【図７】
2006287971.tif 000009
【図８】
2006287971.tif 000010
【図９】
2006287971.tif 000011
【図１０】
2006287971.tif 000012
【図１１】
2006287971.tif 000013
【図１２】
2006287971.tif 000014
【図１３】
2006287971.tif 000015
【図１４】
2006287971.tif 000016
【図１５】
2006287971.tif 000017
【図１６】
2006287971.tif 000018
【図１７】
2006287971.tif 000019
【図１８】
2006287971.tif 000020
【図１９】
2006287971.tif 000021
【図２０】
2006287971.tif 000022
【図２１】
2006287971.tif 000023